(57)【要約】【課題】屈曲に伴うケーブルの断線を防止するとともに、電子機器の実装構造に合わせてケーブルの引出方向を任意に設定可能とするプロテクタを提供する。【解決手段】コネクタと、コネクタに接続される導線を含むシェルと、導線に接続され、シェルのケーブル引出位置から外部に延出するケーブルと、ケーブルの引出方向とは異なる方向にケーブルを屈曲させる屈曲面を有し、シェルのケーブル引出側に着脱可能に装着されるプロテクタとを含むインターフェースケーブルとする。【選択図】      図１
2016119145.tif 000002
【特許請求の範囲】
【請求項１】
コネクタと、
前記コネクタに接続される導線を含むシェルと、
前記導線に接続され、前記シェルのケーブル引出位置から外部に延出するケーブルと、
前記ケーブルの引出方向とは異なる方向に前記ケーブルを屈曲させる屈曲面を有し、前記シェルのケーブル引出側に着脱可能に装着されるプロテクタとを含むインターフェースケーブル。
【請求項２】
前記シェルには、前記ケーブル引出位置における前記ケーブルの断面の中心軸に対して点対称に配置された複数の嵌合穴が開けられており、
前記プロテクタは、
前記シェルとの接続側に、前記シェルに開けられた前記複数の嵌合穴に対応して嵌合する複数の嵌合部を有する請求項１に記載のインターフェースケーブル。
【請求項３】
前記シェルに前記プロテクタを装着する際に少なくとも二つの方向に前記ケーブルを屈曲させるように、前記複数の嵌合部と前記複数の嵌合穴とが対応して配置される請求項２に記載のインターフェースケーブル。
【請求項４】
前記複数の嵌合部は、
前記シェルに前記プロテクタを装着する際に、前記ケーブルを第１の屈曲方向に屈曲させるように前記複数の嵌合穴と嵌合する第１の嵌合状態と、前記ケーブルを第２の屈曲方向に屈曲させるように前記複数の嵌合穴と嵌合する第２の嵌合状態とをとるように配置される請求項３に記載のインターフェースケーブル。
【請求項５】
前記嵌合部は、
前記嵌合穴に対応して配置される軸部と、
前記軸部の一端に設けられ、前記嵌合穴を介して前記シェルと前記プロテクタとを固定する固定部とを含む請求項２乃至４のいずれか一項に記載のインターフェースケーブル。
【請求項６】
前記屈曲面と前記ケーブルとの間に、前記屈曲面とは異なる形状の屈曲面を有する角度調整部材を配置する請求項１乃至５のいずれか一項に記載のインターフェースケーブル。
【請求項７】
前記シェルの前記ケーブル引出側に、前記コネクタを接続する機器に前記シェルを固定するための固定ねじを有し、
前記プロテクタには、前記シェルに前記プロテクタを装着する際に、前記固定ねじが貫通する貫通穴が開けられている請求項１乃至６のいずれか一項に記載のインターフェースケーブル。
【請求項８】
前記シェルは、
前記ケーブル引出位置における前記ケーブルの断面の中心軸に対して点対称に配置された複数の嵌合部を有し、
前記プロテクタには、前記シェルとの接続側に、前記シェルに配置された前記複数の嵌合部に対応する複数の嵌合穴が開けられている請求項１に記載のインターフェースケーブル。
【請求項９】
コネクタと、
前記コネクタに接続される導線を含むシェルと、
前記導線に接続され、前記シェルから外部に延出するケーブルとを有し、
前記シェルのケーブル引出側に、前記ケーブルの引出方向とは異なる方向に前記ケーブルを屈曲させる屈曲面を有するプロテクタが着脱可能に装着されるインターフェースケーブル。
【請求項１０】
ケーブルが延出するインターフェースケーブルのシェルに装着されるプロテクタであって、
前記シェルのケーブル引出側に着脱可能に装着され、前記ケーブルの引出方向とは異なる方向に前記ケーブルを屈曲させる屈曲面を有するプロテクタ。
【発明の詳細な説明】
【技術分野】
【０００１】
本発明は、プロテクタおよびインターフェースケーブルに関する。特に、電子機器のインターフェースケーブルを保護するプロテクタおよびインターフェースケーブルに関する。
【背景技術】
【０００２】
一般に、情報処理機器などの電子機器に用いるインターフェースケーブルは、図１６のように、コネクタ１００やシェル２００、電線３００、固定ねじ４００等を含む構成をもつ。一般的なインターフェースケーブルにおいては、電線の性能を損ねることなく、十分な曲げ半径を確保できるように配線され、実装される。
【０００３】
ところで、昨今の高速シリアル伝送化においては、差動信号化に伴い、差動各対シールドを施したケーブルを複数本使用した低屈曲のケーブルが多用されている。そのような低屈曲のケーブルは、屈曲させにくいため、装置内の高密度配線や実装の妨げとなり、ケーブルルーティングの自由度が低下する要因となっている。
【０００４】
低屈曲のケーブルにおいて配線エリアを確保する方法の一例として、図１７のように、シェル２０１部分をアングル化することによって電線３００の引出方向を一方向に固定する方法が挙げられる。
【０００５】
また、以下の特許文献には、コネクタハウジングから導出するケーブルを所定の方向に屈曲させる構造や部品について開示されている。
【０００６】
特許文献１には、ＬＡＮ（Ｌｏｃａｌ  Ａｒｅａ  Ｎｅｔｗｏｒｋ）ケーブルにおいて、曲げ半径を確保したケーブル保持器具によってケーブルを筐体に固定し、ケーブルの屈曲劣化を防止する実装構造が開示されている。特許文献２には、コネクタハウジングから導出するケーブルの外径や数量に相応した断面積のケーブル曲げ空間をコネクタハウジングの後方に確保することができるコネクタカバーについて開示されている。特許文献３には、コネクタハウジングから導出するケーブルを屈曲させて固定するケーブルカバーのガタつきを抑制する構造について開示されている。特許文献４には、装置から延出するケーブルハーネスを、屈曲自在に連結された単位基体の内部に収容して保護するハーネスガイド部材が開示されている。
【先行技術文献】
【特許文献】
【０００７】
【特許文献１】特開２００６−３５２０１２号公報
【特許文献２】特開２０１３−１１００２５号公報
【特許文献３】特開２０１２−０５４２０６号公報
【特許文献４】特開２００４−３１４５７２号公報
【発明の概要】
【発明が解決しようとする課題】
【０００８】
適切な曲げ半径を確保するために、図１７または特許文献１〜４のような構造や部品を用いたりする場合は、ケーブルの引出方向が一意に決定されるため、装置の実装構成を事前に把握しておく必要がある。そのため、異なった実装構造に合わせるためには、ケーブルの曲げ方向ごとに異なった部品や構造が必要となるという問題点があった。
【０００９】
また、図１７または特許文献１〜４のような構造や部品を用いる場合、ケーブルの曲げ方向が固定されてしまうため、配線ルーティングにおける過度の屈曲や曲げ伸ばしによってケーブルが断線に至ることがあるという問題点があった。特に、コネクタハウジングのケーブル引出口付近では、ケーブル芯線のコネクタ接続に伴う整線作業が行われるためにケーブルが硬直する状況が発生し、屈曲性能の劣化が発生しやすい状況にある。
【００１０】
本発明は、屈曲に伴うケーブルの断線を防止するとともに、電子機器の実装構造に合わせてケーブルの引出方向を任意に設定可能とするプロテクタを提供することを目的とする。
【課題を解決するための手段】
【００１１】
本発明のインターフェースケーブルは、コネクタと、コネクタに接続される導線を含むシェルと、導線に接続され、シェルのケーブル引出位置から外部に延出するケーブルと、ケーブルの引出方向とは異なる方向にケーブルを屈曲させる屈曲面を有し、シェルのケーブル引出側に着脱可能に装着されるプロテクタとを含む。
【００１２】
本発明のインターフェースケーブルは、コネクタと、コネクタに接続される導線を含むシェルと、導線に接続され、シェルから外部に延出するケーブルとを有し、シェルのケーブル引出側に、ケーブルの引出方向とは異なる方向にケーブルを屈曲させる屈曲面を有するプロテクタが着脱可能に装着される。
【００１３】
本発明のプロテクタは、ケーブルが延出するインターフェースケーブルのシェルに装着されるプロテクタであって、シェルのケーブル引出側に着脱可能に装着され、ケーブルの引出方向とは異なる方向にケーブルを屈曲させる屈曲面を有する。
【発明の効果】
【００１４】
本発明によれば、屈曲に伴うケーブルの断線を防止するとともに、電子機器の実装構造に合わせてケーブルの引出方向を任意に設定可能とするプロテクタを提供することができる。
【図面の簡単な説明】
【００１５】
【図１】本発明の第１の実施形態に係るインターフェースケーブルおよびプロテクタの外観図である。
【図２】本発明の第１の実施形態における嵌合構造の外観図である。
【図３】本発明の第１の実施形態に係るシェルをプロテクタと嵌合させる方向から見た図である。
【図４】本発明の第１の実施形態に係るプロテクタをシェルと嵌合させる方向から見た図である。
【図５】本発明の第１の実施形態における嵌合構造を図２のＥ−Ｅ’切断線に沿って切断させた断面を示す断面図である。
【図６】本発明の第１の実施形態に係るシェルとプロテクタとを図２とは別の方向に嵌合させたときの外観図である。
【図７】本発明の第１の実施形態に係るシェルとプロテクタとを図２とは別の方向に嵌合させた構造を図２のＥ−Ｅ’切断線に沿って切断させた断面を示す断面図である。
【図８】本発明の第１の実施形態に係るシェルの側面に開けられているホールの配置を説明するための図である。
【図９】本発明の第１の実施形態に係る変形例１の嵌合構造を示す断面図である。
【図１０】本発明の第１の実施形態に係る変形例２の嵌合構造を示す断面図である。
【図１１】本発明の第１の実施形態に係る変形例３の嵌合構造を示す断面図である。
【図１２】本発明の第２の実施形態に係るインターフェースケーブルおよびプロテクタの外観図である。
【図１３】本発明の第３の実施形態に係るインターフェースケーブルおよびプロテクタの外観図である。
【図１４】本発明の第３の実施形態における嵌合構造の外観図である。
【図１５】本発明の第４の実施形態に係るインターフェースケーブルおよびプロテクタの外観図である。
【図１６】一般的なインターフェースケーブルの外観図である。
【図１７】一般的なインターフェースケーブルのシェル部分をアングル化した構造の外観図である。
【発明を実施するための形態】
【００１６】
以下に、本発明を実施するための形態について図面を用いて説明する。ただし、以下に述べる実施形態には、本発明を実施するために技術的に好ましい限定がされているが、発明の範囲を以下に限定するものではない。
【００１７】
（第１の実施形態）
まず、本発明の第１の実施形態に係るインターフェースケーブルおよびプロテクタについて図面を参照して説明する。
【００１８】
（構成）
図１のように、本実施形態に係るインターフェースケーブルは、コネクタ１０、シェル２０およびケーブル３０を備える。なお、本実施形態に係るインターフェースケーブルは、図１のように、コネクタ１０を機器に接続する際に、シェル２０を機器に固定する固定ねじ４０を備えていてもよい。また、図１には、シェル２０とプロテクタ５０との装着面が平面であるように図示しているが、装着面は平面ではなくてもよい。
【００１９】
コネクタ１０、ケーブル３０および固定ねじ４０は、一般的なインターフェースケーブルに用いられるものである。シェル２０は、ホール２１が開けられている点以外は、一般的なインターフェースケーブルに用いられるものである。
【００２０】
本実施形態に係るインターフェースケーブルのシェル２０には、着脱可能なプロテクタ５０が装着される。図２は、図中Ａ方向、すなわちシェル２０の主面の上側方向にケーブルが屈曲されるようにプロテクタ５０を装着した際の外観図である。なお、プロテクタ５０を本実施形態に係るインターフェースケーブルに含める構成としてもよい。
【００２１】
ケーブル３０引出側のシェル２０の側面には、プロテクタ５０のフックピン６１を挿入して嵌合させるための穴であるホール２１（嵌合穴とも呼ぶ）が開けられている。図３のように、第１の実施形態に係るインターフェースケーブルでは、プロテクタ５０が接するシェル２０の面に、ホール２１が四つ開けられている。
【００２２】
プロテクタ５０は、ケーブル３０の屈曲方向を決定付けるスロープ５１（屈曲面とも呼ぶ）と、シェル２０にプロテクタ５０を装着固定するためのフックピン６１（嵌合部とも呼ぶ）とを含む。プロテクタ５０は、シェル２０のケーブル引出側、すなわちシェル２０との接続側に着脱可能に装着される。プロテクタ５０がシェル２０に装着されると、ケーブル３０は、スロープ５１に沿ってケーブル３０の引出方向（図中Ｃ方向）とは異なる方向（図中Ａ方向）に屈曲される。
【００２３】
スロープ５１は、ケーブル３０を屈曲させる斜面を有する部位であり、プロテクタ５０の中央を抉るように形成される。スロープ５１は、ケーブル３０が無理に屈曲されないように、シェル２０に装着される側に近づくにつれて、図中Ｂ方向に向けてより深く抉られていく形状を有する。スロープ５１の傾斜は、例えば、楕円や円、放物線、双曲線などの一部を含む曲線と、直線とを組み合わせた断面形状をもつ。なお、スロープ５１の形状は、ここに挙げた限りではなく、ケーブル３０が無理やりに屈曲されない形状であればよい。
【００２４】
フックピン６１は、図４のように、シェル２０と接するプロテクタ５０の装着面に、各ホール２１に対応するように四つ設けられている。シェル２０にプロテクタ５０を装着させる際には、全てのピン６１を四つのホール２１の各々に嵌合させる。複数のフックピン６１と複数のホール２１とは、シェル２０にプロテクタ５０を装着する際に少なくとも二つの方向にケーブル３０を屈曲させるように、対応して配置される。
【００２５】
本実施形態に係るインターフェースケーブルにおいて、フックピン６１は、シェル２０にプロテクタ５０を装着する際に、異なる二つの嵌合状態が形成されるように配置される。一つは、ケーブル３０を第１の屈曲方向（図中Ａ方向）に屈曲させるように嵌合する第１の嵌合状態である。もう一つは、ケーブル３０を第２の屈曲方向（図中Ｂ方向）に屈曲させるように嵌合する第２の嵌合状態である。
【００２６】
図５には、シェル２０にプロテクタ５０を装着した際に、図２の切断線Ｅ−Ｅ’で切断した断面図を示す。なお、図５においては、シェル２０のコネクタ１０側の部分を省略している。また、導線２２は、コネクタ１０とケーブル３０とを接続するシェル２０内の導線の一部である。
【００２７】
図５のように、プロテクタ５０のフックピン６１は、軸部６１ａと固定部６１ｂによって構成される。固定部６１ｂは、軸部６１ａの端部に配置され、ホール２１の内径よりも大きい外形を有する。例えば、軸部６１ａは、シェル２０にプロテクタ５０を装着した際に安定させるため、変形の少ないプラスチックや金属などで構成することが好ましい。また、例えば、固定部６１ｂは、ホール２１に貫通させたり、ホール２１内に留めたりするため、弾性のあるプラスチックやゴムなどで構成することが好ましい。
【００２８】
図５の例では、固定部６１ｂは、ホール２１を貫通してシェル２０の内側に導入されることによって、シェル２０にプロテクタ５０が装着される。固定部６１ｂは、弾性変形する素材とすれば、ホール２１を貫通しても破壊されない。
【００２９】
本実施形態に係るインターフェースケーブルでは、図６および図７のように、図中Ｂ方向にケーブル３０を屈曲させるように、プロテクタ５０を装着する向きを変えることができる。すなわち、本実施形態に係るインターフェースケーブルによれば、電子機器の実装構造に合わせてケーブル３０の屈曲方向を設定することが可能となる。
【００３０】
本実施形態においては、図３や図４に示すように、各ホール２１および各フックピン６１の中心軸が、矩形の頂点に位置するように配置する。そのため、図６のように、図２のＢ方向にケーブル３０が屈曲するようにプロテクタ５０を装着させても、全てのピン６１は四つのホール２１の各々に嵌合する。
【００３１】
各ホール２１および各フックピン６１を、正方形などの正多角形の頂点や円周上に配置してもよい。各ホール２１および各フックピン６１を正方形の頂点に配置すると、ケーブル３０の屈曲方向を四方向に変更することができる。また、各ホール２１および各フックピン６１を正多角形の頂点に配置すると、ケーブル３０の屈曲方向を正多角形の角の数だけ変更することができる。さらに、各ホール２１および各フックピン６１を円周上に配置すると、ケーブル３０の屈曲方向を任意に変更できる。ただし、各ホール２１および各フックピン６１を正多角形の頂点や円周上に配置する場合は、プロテクタ５０の外周部分が固定ねじ４０と干渉しないようにする。
【００３２】
図８には、シェル２０の側面にホール２１を配置する例を示す。図８のように、各ホール２１は、ケーブル引出位置３１におけるケーブル３０の中心軸３２に対して点対称に配置されていれば、プロテクタ５０の装着方向を異なる方向に変更することができる。すなわち、各ホール２１は、ケーブル３０の中心軸３２を中心とした円３３の円周上に配置すればよい。そうすれば、各ホール２１に対応するように配置した各フックピン６１と、各ホール２１とを嵌合させることによって、シェル２０にプロテクタ５０を装着できる。図８の例では、円３３の円周上に矩形３４の頂点が位置することになる。
【００３３】
また、ホール２１の形状は、円ではなくてもよい。ホール２１の形状は、例えば、楕円や矩形、正方形、多角形、星形、三日月形などの任意の形状にすることができる。ただし、ホール２１の形状は、プロテクタ５０の装着方向を変更しても、各ホール２１に対応するプロテクタ５０のフックピン６１などの嵌合部がホール２１に嵌合する形状とする。
【００３４】
また、例えば、図１に示す四つのフックピン６１のうち、対角に位置する二つのフックピン６１さえあれば、プロテクタ５０をシェル２０に装着することができる。
【００３５】
（効果）
以上の本実施形態に係るインターフェースケーブルおよびプロテクタによれば、以下のような効果を得ることができる。
【００３６】
第１の効果は、プロテクタを装着することによってケーブルが無理に屈曲されることを防止することにより、インターフェースケーブル着脱時のケーブル曲げ伸ばしの繰り返しストレスによる断線を防止することである。
【００３７】
第２の効果は、電子機器の実装配線段階において決定されるインターフェースケーブルのルーティング方向に合わせて、プロテクタを装着することによってケーブルに屈曲をもたらし、ケーブルルーティングに自由度をもたらすことである。
【００３８】
すなわち、本実施形態に係るインターフェースケーブルおよびプロテクタによれば、屈曲に伴うケーブルの断線を防止するとともに、電子機器の実装構造に合わせてケーブルの引出方向を任意に設定可能とすることができる。
【００３９】
（変形例）
ここで、本発明の第１の実施形態に係るインターフェースケーブルおよびプロテクタの変形例を示す。
【００４０】
図９の変形例１は、プロテクタ５０に変更はなく、フックピン６１をフックピン６２に変形した例である。変形例１のフックピン６２は、軸部６２ａと固定部６２ｂとを有する。固定部６２は、シェル２０にプロテクタ５０を装着させた際に、ホール２１を貫通しきらずに、その一部がホール２１内に留まることによって固定する。そのため、シェル２０にプロテクタ５０を装着した際に、軸部６２ａはホール２１内に挿入されない。
【００４１】
図９の変形例１によれば、シェル２０とプロテクタ５０とを直接に接触させないため、シェル２０とプロテクタ５０とが接触することによって傷付けあうこと防止できる。また、変形例１のフックピン６２は、フックピン６１よりも着脱がしやすいため、作業性を向上することにつながる。
【００４２】
図１０の変形例２は、シェル２０とプロテクタ５０との間に隙間が生じた際に、ホール２１の外側に位置するフックピン６１の軸部６１ａの周囲を被覆するスペーサー６３を設ける例である。スペーサー６３は、例えば、変形しにくいプラスチックや金属、弾性のあるプラスチックやゴムなどの材質で構成することができる。スペーサー６３としては、例えば、リング状やＣ型を有する座金やＯリング、スナップリングなどを用いることができる。
【００４３】
図１０の変形例２によれば、シェル２０とプロテクタ５０との間に隙間がある場合であってもプロテクタ５０が固定されるため、振動などに起因するフックピン６１の破損を防止する。
【００４４】
図１１の変形例３は、プロテクタ５０のスロープ５１に、スロープ５１の傾斜面の状態を変更するための角度調整部材５２を配置する例である。ケーブル３０の屈曲の程度は、インターフェースケーブルを固定する電子機器の配置によっては変更する必要が生じる。場合によっては、スロープ５１の傾斜面を少し変更することによって対応できることもあると想定される。その場合、当初のスロープ５１と同じ形状の第１の面と、その第１の面と対向するように第１の面とは異なる形状の第２の面を有する角度調整部材５２を用いればよい。角度調整部材５２の第２の面は、第１の面よりも急にしてもよいし、緩くしてもよい。角度調整部材５２は、例えば、変形しにくいプラスチックや金属、弾性のあるプラスチックやゴムなどの材質で構成することができる。角度調整部材５２は、既定の形状を有しているものであってもよいし、ケーブル３０の屈曲状態に合わせて作業時に形成させてもよい。
【００４５】
図１１の変形例３によれば、ケーブル３０の屈曲角度を任意に変更できるため、現場での急な変更に対しても柔軟に対応することができる。
【００４６】
（第２の実施形態）
次に、本発明の第２の実施形態に係るインターフェースケーブルおよびプロテクタについて図１２を参照して説明する。
【００４７】
本実施形態に係るプロテクタ５３は、ケーブル３０の屈曲方向を決定付けるスロープ５４（屈曲面とも呼ぶ）と、シェル２０にプロテクタ５３を装着固定するための突起部６４（嵌合部とも呼ぶ）とを含む。プロテクタ５３の装着面には、例えば矩形断面の突起部６４を二つ設ける。そして、シェル２０の装着面には、プロテクタ５３の突起部６４が嵌合するスリット２４を開ける。図１２の例では、ケーブル３０の両側の装着面に同じ形のスリット２４を開けている。二つの突起部６４を二つのスリット２４のそれぞれに嵌合させることによって、図２や図６の例と同様に、インターフェースのシェル２０にプロテクタ５３を装着することができる。なお、図１２には、ケーブル３０をＡ方向に屈曲させる例を示しているが、プロテクタ５３の装着方向を変えることによって、Ｂ方向にケーブル３０を屈曲させることもできる。
【００４８】
突起部６４は、プロテクタ５３と一体で成形してもよいし、プロテクタ５３に付加物として取り付けてもよい。例えば、突起部６４は、変形しにくいプラスチックや金属、弾性のあるプラスチックやゴムなどの材質で構成することができる。
【００４９】
突起部６４の断面は、装着方向に沿って一定であってもよいし、装着方向のいずれかに向かって小さくなるように変化させてもよい。突起部６４の断面を装着方向に沿って変化させた場合、装着方向に沿って切断した突起部６４の外形が、線形的に変化するようにしてもよいし、曲線状に変化するようにしてもよい。また、突起部６４を弾性のある材質で構成する場合、装着方向に沿って断面が大きくなるように傾斜させれば、装着後にプロテクタ５３が抜けにくくなるために装着構造が安定になる。なお、突起部６４の断面形状は矩形形状に限らず、円や楕円などの曲面、三角形や五角形などの多角形、その他任意の形状にすることができる。
【００５０】
本実施形態によれば、第１の実施形態よりも嵌合強度を向上することができるため、より信頼性が高いケーブルルーティングを実現することができる。また、本実施形態によれば、嵌合部位が２か所になるために装着しやすくなり、第１の実施形態よりも作業性が向上する。
【００５１】
（第３の実施形態）
次に、本発明の第３の実施形態に係るインターフェースケーブルおよびプロテクタについて図１３および図１４を参照して説明する。なお、本実施形態において、インターフェースケーブルは第１の実施形態と同じである。
【００５２】
図１３には、本実施形態に係るプロテクタ５５を示す。本実施形態に係るプロテクタ５５は、図１の第１の実施形態に係るプロテクタ５０と同様のスロープ５６とフックピン６６とを有する。本実施形態に係るプロテクタ５５には、固定ねじ４０が貫通するための貫通穴６７が開けられている。そのため、シェル２０にプロテクタ５５を装着する際には、図１４のように、固定ねじ４０が貫通穴６７を貫通するようになる。なお、図１４には、ケーブル３０がＡ方向に屈曲される例を示しているが、プロテクタ５５の装着方向を変更することによって、ケーブル３０をＢ方向に屈曲させることもできる。
【００５３】
貫通穴６７の内径は、固定ねじ４０が貫通できる大きさとする。通常は、フックピン６６とホール２１との嵌合によって安定した装着構造が得られるため、貫通穴６７の内径は固定ねじの外形に対して十分に大きくしてよい。貫通穴６７によってプロテクタ５５とシェル２０との嵌合を補助する場合は、貫通穴６７の内径と固定ねじ４０の外形との差を小さくすればよい。
【００５４】
本実施形態によれば、固定ねじが貫通するような貫通穴をプロテクタに開けておくため、シェルとプロテクタの装着状態をより安定させることができる。また、本実施形態によれば、プロテクタをシェルに装着した後に固定ねじを操作しにくくなるため、固定ねじが誤って回ることを防止することにもつながる。
【００５５】
（第４の実施形態）
次に、本発明の第４の実施形態に係るインターフェースケーブルおよびプロテクタについて図１５を参照して説明する。
【００５６】
図１５には、本実施形態に係るインターフェースケーブルおよびプロテクタ５７を示す。本実施形態に係るインターフェースケーブルは、ホール２１の部分にフックピン２５が設けられている点以外は第１の実施形態と同じである。本実施形態に係るプロテクタ５７は、ケーブル３０を屈曲させるためのスロープ５８に関しては図１のプロテクタ５０と同じであるが、フックピン２５の嵌合するホール６５が開けられている。全てのフックピン２５をホール６５のいずれか一つに嵌合させることによって、プロテクタ５７はシェル２０に装着される。
【００５７】
図１５のフックピン２５は、第１の実施形態に係るシェル２０のホール２１の内部から突出させた構成としてもよい。その場合、本実施形態に係るシェル２０は、第１の実施形態と同じ構造にすることができる。
【００５８】
図１５のフックピン２５は、一例であって、第１および第２の実施形態に示すいずれかの嵌合部と同じ構造を有すればよい。また、プロテクタ５７は、第３の実施形態に係るプロテクタ５５と同じ形状としてもよい。
【００５９】
本実施形態によれば、第１〜第３の実施形態と同様の効果を得ることができる。
【００６０】
以上、実施形態を参照して本発明を説明してきたが、本発明は上記実施形態に限定されるものではない。本発明の構成や詳細には、本発明のスコープ内で当業者が理解し得る様々な変更をすることができる。
【符号の説明】
【００６１】
１０    コネクタ
２０    シェル
２１    ホール
２２    導線
２４    スリット
２５    フックピン
３０    ケーブル
４０    固定ねじ
５０、５３、５５、５７    プロテクタ
５１、５４、５６、５８    スロープ
５２    角度調整部材
６１、６２、６６    フックピン
６３    スペーサー
６４    突起部
６５    ホール
６７    貫通穴
１００    コネクタ
２００、２０１    シェル
３００    ケーブル
４００    固定ねじ
【図１】
2016119145.tif 000003
【図２】
2016119145.tif 000004
【図３】
2016119145.tif 000005
【図４】
2016119145.tif 000006
【図５】
2016119145.tif 000007
【図６】
2016119145.tif 000008
【図７】
2016119145.tif 000009
【図８】
2016119145.tif 000010
【図９】
2016119145.tif 000011
【図１０】
2016119145.tif 000012
【図１１】
2016119145.tif 000013
【図１２】
2016119145.tif 000014
【図１３】
2016119145.tif 000015
【図１４】
2016119145.tif 000016
【図１５】
2016119145.tif 000017
【図１６】
2016119145.tif 000018
【図１７】
2016119145.tif 000019